【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
直立位置と傾倒位置との間で移動可能である上方延在の背部構成体、ならびに
座部構成体であって、
実質上水平に延在する第１のリンク部材であって、前部および後部を有して着座姿勢のユーザをその上に支持するように構成された、第１のリンク部材、
前記第１のリンク部材から離間された、第２のリンク部材、
前記第１のリンク部材の前記前部と前記第２のリンク部材とに動作可能に連結された第３のリンク部材であって、その長さの大部分に沿って実質上可撓性がある、第３のリンク部材、および
前記第１のリンク部材の前記後部と前記第２のリンク部材とに動作可能に連結された第４のリンク部材であって、その長さの大部分に沿って実質上剛性である、第４のリンク部材、
を含む、座部構成体
を備え、
前記第１のリンク部材、前記第２のリンク部材、前記第３のリンク部材、および前記第４のリンク部材は、協働してリンク結合構成体を形成し、前記座部構成体は前記背部構成体を直立位置と傾倒位置との間で移動させたとき後方向に移動する、
着座用構成体。
【請求項２】
前記背部構成体の第１の部分および前記座部構成体の前記第１のリンク部材を含む一体単一体状の第１の外殻部材を更に備える、請求項１に記載の着座用構成体。
【請求項３】
前記背部構成体の第２の部分および前記座部構成体の前記第２のリンク部材を含む一体単一体状の第２の外殻部材を更に備える、請求項１および２のいずれかに記載の着座用構成体。
【請求項４】
前記第１の外殻部材は前記背部構成体の前記第１の部分と前記第１のリンク部材との間に位置する円弧形状の第１の移行部を含む、請求項１〜３のいずれか一項に記載の着座用構成体。
【請求項５】
前記第２の外殻部材は前記背部構成体の前記第２の部分と前記第２のリンク部材との間に位置する円弧形状の第２の移行部を含む、請求項１〜４のいずれか一項に記載の着座用構成体。
【請求項６】
前記第３のリンク部材および前記第２の外殻部材は一体単一体である、請求項１〜５のいずれか一項に記載の着座用構成体。
【請求項７】
前記第１の外殻部材は高分子化合物材料から成る、請求項１〜６のいずれか一項に記載の着座用構成体。
【請求項８】
前記第２の外殻部材は炭素繊維から成る、請求項１〜７のいずれか一項に記載の着座用構成体。
【請求項９】
前記第４のリンク体は炭素繊維から成る、請求項１〜８のいずれか一項に記載の着座用構成体。
【請求項１０】
水平延在の第１の部分および前記第１の部分から上方に延在する第２の部分を有する可撓的弾性の第１の外殻部材であって、前記第１の部分は着座姿勢のユーザを支持するように構成されて前記第１の外殻部材の大部分とは関係なく撓むように構成された可撓性の耳状部材を含み、前記第２の部分は直立位置と傾倒位置との間に移動するように構成される、第１の外殻部材、
前記第１の外殻部材の前記第１の部分から少なくとも部分的に離間された水平延在の第１の部分を有する、第２の外殻部材、ならびに
前記第２の外殻部材の前記第１の部分から前記第１の外殻部材の前記第１の部分への間に延在してこれらを支持する第１の支持部材であって、前記第１の外殻部材の前記第１の部分の前記耳状部材に取付けられ、前記耳状部は前記第１の外殻部材の前記第２の部分を直立位置から傾倒位置に移動させたとき前記第１の外殻部材の前記第１の部分の大部分よりもより大きく撓む、第１の支持部材
を備える、
着座用構成体。
【請求項１１】
前記耳状部は前記第１の外殻部材の前記第１の部分の大部分の厚さよりも薄い厚さ減少領域を含む、請求項１０に記載の着座用構成体。
【請求項１２】
前記耳状部の前記厚さ減少領域を有する一部分は前記第１の支持部材が前記耳状部に接続される場所の前方に位置する、請求項１１に記載の着座用構成体。
【請求項１３】
前記第１の支持部材は可撓的弾性である、請求項１０〜１２のいずれか一項に記載の着座用構成体。
【請求項１４】
前記第１の外殻部材の前記第１の部分、前記第２の外殻部材の前記第１の部分、前記第１の支持部材、および前記第２の支持部材が協働して４条材型リンク結合構成体を形成するように、前記第２の外殻部材の前記第１の部分から前記第１の外殻部の前記第１の部分材の間に延在してこれらを支持する第２の支持部材を更に備える、請求項１０〜１３のいずれか一項に記載の着座用構成体。
【請求項１５】
前記第２の支持部材は実質上剛性である、請求項１４に記載の着座用構成体。
【請求項１６】
前記第２の支持部材は前記第１の支持要素の後方に位置する、請求項１４または１５に記載の前記着座用構成体。
【請求項１７】
水平延在の第１の部分および前記第１の部分から上方に延在する第２の部分を有する可撓的弾性の第１の外殻部材であって、前記第２の部分は直立位置と傾倒位置との間で移動可能である、可撓的弾性の第１の外殻部材、
可撓的弾性の第２の外殻部材であって、前記第１の外殻部材の前記第１の部分から少なくとも部分的に離間された水平延在の第１の部分、および前記第２の外殻部材の前記第１の部分から上方に延在して第１の外殻部材の前記第２の部分から少なくとも部分的に離間された第２の部分を有する可撓的弾性の第２の外殻部材であって、前記第２の外殻部材の第１の部分は、前記第１の外殻部材の第１の部分の大部分の厚さよりも薄い厚さ減少領域を含む、可撓的弾性の第２の外殻部材、
前記第２の外殻部材の前記第１の部分から前記第１の外殻部材の前記第１の部分への間に延在してこれらを支持する可撓的弾性の第１の支持部材であって、厚さがその大部分の厚さよりも薄い厚さ減少領域を含む、可撓的弾性の第１の支持部材、ならびに
前記第１の外殻部材の前記第１の部分、前記第２の外殻部材の前記第１の部分、第１の支持部材、および前記第２の支持部材が協働してリンク結合構成体を形成するように、前記第２の外殻部材の前記第１の部分から前記第１の外殻部材の前記第１の部分への間に延在してこれらを支持する第２の支持部材、
を備え、
前記第１の外殻部材の前記第２の部分を直立位置から傾倒位置に移動させたとき、前記第２の外殻部材の前記第１の部分の前記厚さ減少領域は前記第２の外殻部材の前記第１の部分の大部分よりも多く撓み、かつ前記第１の支持部材の前記厚さ減少領域は前記第１の支持部材の大部分よりも多く撓む、
着座用体。
【請求項１８】
前記第１の支持部材の前記厚さ減少領域は前記第１の支持部材の下端部直近に位置する、請求項１７に記載の着座用構成体。
【請求項１９】
前記第２の外殻部材の前記第１の区間の前記厚さ減少領域は前記第２の支持部材が前記第２の外殻部材に接続する場所の前方に位置する、請求項１７または１８に記載の前記着座用構成体。
【請求項２０】
前記第２の支持部材は実質上剛性である、請求項１７〜１９のいずれか一項に記載の着座用構成体。
【請求項２１】
前記第１の外殻部の前記第１の部分材は前記第１の外殻部材の大部分とは関係なく撓むように構成された可撓性の耳状部材を含み、前記第１の支持部材は前記耳状部に接続され、前記耳状部は前記第１の外殻部材の前記第２の部分を直立位置から傾倒位置に移動させたとき前記第１の外殻部材の前記第１の部分の大部分よりも大きく撓む、請求項１７〜２０のいずれか一項に記載の着座用構成体。
【請求項２２】
前記耳状部は前記第１の外殻部材の前記第１の部分の大部分の厚さよりも薄い厚さ減少領域を含む、請求項２１に記載の着座用構成体。
【請求項２３】
前記耳状部の前記厚さ減少領域を有する一部分は前記第１の支持部材が前記耳状部に接続される場所の前方に位置する、請求項２２に記載の着座用構成体。
【請求項２４】
前記リンク結合構成体は４条材型リンク結合構成体から成る、請求項１７〜２３のいずれか一項に記載の着座用構成体。
【請求項２５】
前記着座用構成体は事務椅子組立体から成る、請求項１７〜２４のいずれか一項に記載の着座用構成体。
【請求項２６】
基部、
前記基部に連結された実質上水平な第１の部分および前記第１の部分から上方前方に延在する第２の部分を有する下部支持部材であって、前記第１の部分と第２の部分との間に第１の撓み領域および前記第１の撓み領域の後方に位置付けられた第２の撓み領域を画成する、下部支持部材、
前記第１の部分の上方に離間されて前記第１の撓み領域の前方に位置付けられた第３の撓み領域で前記第２の部分に接合された実質上水平な第３の部分を有する上部支持部材、および
前記第３の撓み領域と前記第３の部分との間に配置された第４の部分であって、前記第２の部分よりもより剛性である、第４の部分、
を備える、
着座用構成体。
【請求項２７】
前記上部支持部材は、前記第３の部分から上方に延在して直立位置と傾倒位置との間で移動可能である背部を含み、前記第３の部分は直立位置と傾倒位置との間で前記背部を移動させたときその長さに沿う位置で撓む、請求項２６に記載の着座用構成体。
【請求項２８】
前記上部支持部材が撓む位置は前記第４の部分が前記第３の部分に接続される場所の前方に位置する、請求項２７に記載の着座用構成体。
【請求項２９】
前記第４の部分はその長さの大部分に沿って実質上剛性である、請求項２６〜２８のいずれか一項に記載の着座用構成体。
【請求項３０】
前記第２の部分はその長さの大部分に沿って実質上可撓性である、請求項２６〜２９のいずれか一項に記載の着座用構成体。。
【請求項３１】
前記第１の撓み領域は第２の部分の大部分の厚さよりも薄い減少厚さを含む、請求項２６〜３０のいずれか一項に記載の着座用構成体。
【請求項３２】
前記第２の撓み領域は前記第１の部分の大部分の厚さよりも薄い減少厚さを含む、請求項２６〜３１のいずれか一項に記載の着座用構成体。
【請求項３３】
前記第３の撓み領域は前記第３の部分の大部分の厚さよりも薄い厚さ減少領域を含む、請求項２６〜３２のいずれか一項に記載の着座用構成体。
【請求項３４】
前記着座用構成体は事務椅子組立体から成る、請求項２６〜３３のいずれか一項に記載の着座用構成体。